(57)【要約】      （修正有）【課題】ＯＳやソフトウエアプログラムを必要とせず、またパーソナルコンピュータ等ソフトウエアプログラムが破壊された時でも消去初期化できるハードディスク記憶装置を実現する。【解決手段】幅広で鋭利なマイナスドライバー状の消去専用の磁気ヘッド１を用い、書込み磁気ヘッドで磁化された細いトラック又は条根を複数一括して消去する。消去専用磁気ヘッド１は精密で微妙な制御を必要とせず、ＭＰＵ部ＲＡＭ部等の電子回路と独立して動作する。【選択図】図１
2008269679.tif 000002
【特許請求の範囲】
【請求項１】
強制消去ハードディスク記憶装置では、書込・読取用磁気ヘッドと、消去専用磁気ヘッドを別々にし、消去磁気ヘッドの形状を幅広で鋭利なマイナスドライバー状にして、従来の書込・読取用磁気ヘッドの鋭い小さい磁化された磁場面を書込・読取用磁気ヘッドと別にした消去専用磁気ヘッドで、マイナスドライバー状の幅広の平たく鋭利で、書込まれている磁場面を１条又は１トラック又は複条毎又は複数トラックに消去専用磁気ヘッドでハードディスク面をなぞって、多少消去専用磁気ヘッドがふらついても問題なくハードディスク記憶装置の磁場面即ち記憶部分を消去できるようにしたハードディスク記憶強制消去装置。
【発明の詳細な説明】
【技術分野】
【０００１】
本発明では、ハードディスク記憶装置の消去又は初期化を簡易に行う事を目的とし、幅広で鋭利なマイナスドライバー状の形をした消去ヘッドを用いる事と従来の１つの書込・読取、消去磁気ヘッドで行う書込、読取、消去を、消去専用のヘッドを用いる事とそれに伴う電源部、消去信号発生部を独立させ簡易で尚かつ素早く消去、初期化を行う事が出来る。
【背景技術】
【０００２】
従来のハードディスク記憶装置では。消去又は初期化を１本の書込用、読取用、消去用磁気ヘッドを用いて行っていた。その為磁気面又は微細なフェライトの小さな磁場面の小さな細かいトラックをなぞって消去、初期化では精密な制度の制御が必要であった。又、従来の強制消去も同様に１本の書込、消去磁気ヘッドであった。その為精密な制御が必要であった。
【特許文献１】特願２００５−３６７７８７
【発明の開示】
【発明が解決しようとする課題】
【０００３】
本発明は以上のような従来の欠点に鑑み、ハードディスク記憶強制消去装置では、消去又は初期化の為の消去専用磁気ヘッドを幅広で鋭利なマイナスドライバー状で幅広く、又片方は鋭利にして１条又は１トラック又は複数条又は複数トラックの磁場面の磁界又は磁場力の記憶を、幅広で片方は鋭利にして１条又は１トラック又は複数条又は複数トラックの磁場面の磁界又は磁場力を消去する信号で消去又は初期化する。そして幅広で有る為、消去磁気ヘッドの精密な制御を必要としない、この為に従来の書込用磁気ヘッドと別に、もう一つの消去専用磁気ヘッドとなり、２つに分ける事により例えパソコン等のＭＰＵ部分とランダムアクセスメモリーと別に分け、ＭＰＵ部分とランダムアクセスメモリー部分は電源を切り、例えば接地し分離する事によりハードディスク記憶強制消去装置が構成される。
【課題を解決するための手段】
【０００４】
上記目的を達成するために、本発明では幅広で鋭利のマイナスドライバー状の消去ヘッドを用いる事で従来の針先の様な小さなドットの磁場面積の磁力として記憶した物を、幅広で鋭利なマイナスドライバー状の消去専用磁気ヘッドにて消去する事で、従来は針先の様な書込・消去ヘッドで微細でなおかつ微妙な記憶磁場を精密制御して消去、初期化していたが、幅広で鋭利なマイナスドライバー状の消去ヘッドを用いる事で、精密な制御を必要とせず、微妙な磁場磁力の記憶を簡単に消去、初期化できる。その上消去専用ヘッドの制御も精密な制御を必要とせずに、消去、初期化できる。
【０００５】
上記目的を達成するために本発明では、例えばパーソナルコンピュータではＭＰＵ部、ＲＡＭ記憶部に電源が入っていると強制消去しても又書込でしまう、その為本発明では書込用消去用の従来の磁気ヘッドを動かなくする為と、ＭＰＵ部とＲＡＭ記憶部もある意味で初期化する為に電源部とバックアップバッテリーを切る必要がある、又ＲＡＭ記憶部の消去する為に電源、電力を抵抗を用いてある程度ゆるやかに電力を０にする、これはコンピュータウイルスなどの場合に対処する為である。ＲＡＭ記憶部コンピュータウイルスが入っていると強制消去しても、メイン電源を切っていてもバックアップバッテリーの電力で、又コンピュータウイルスが動きハードディスク記憶部が壊れ、パーソナルコンピュータが動かなくなる、その為にバックアップバッテリースイッチも切り、ＲＡＭ記憶部に残留している記憶を消去してしまう。これに依り強制消去する時はメイン電源を切りバックアップバッテリーも切り、尚かつ電子回路コンデンサ等に残っている電力を切る為、抵抗等により接地し、ゆるやかに電力を０にする、これにより本発明の強制消去は完成する。
【発明の効果】
【０００６】
以上の説明から明らかなような、本発明にあっては次に列挙する効果が得られる。
（１）〔請求項１〕の構成要件とで構成されているので、ハードディスク記憶装置のインストール即ち消去は従来の１つの書込・読取・消去磁気ヘッドで行っていた、その為細い先端の針の様な磁気ヘッドである為記憶した磁場磁力が細い針の様な磁場磁力である、しかし磁力磁界の性格上記憶した磁場磁力の周辺部に濃淡が出来る、これを先端部が針先の様な書込・消去磁気ヘッドで１本で行うと細い記憶した磁場磁力を精密に微妙に精密制御を行っていた、しかしながら記憶した磁場磁力の周辺部の濃淡部に残留磁場磁力が残りビットエラーの原因となった、そこで本発明では図１の幅広で鋭利なマイナスドライバー状の消去専用磁気ヘッド１を付け加える事で、１条１トラック又は複条複数トラックの記憶した磁場磁力の消去を幅広く複条又は複数トラック消去する事で記憶した磁場磁力の細かく小さい磁場と周辺部の濃淡の残留した磁場磁力を消去できる事に依り完全に消去できる、そして図１の幅広で鋭利なマイナスドライバー状の消去専用磁気ヘッド１である為に、多少ふらついても良く従来の精密で微妙な精密な従来の磁気ヘッドを必要とせず、又複条又は複条複数トラックの記憶した磁場磁力を消去する、又出来る為、消去時間を大幅に短縮できる。
【０００７】
以上の発明の効果の説明で明らかなように図１の幅広で鋭利なマイナスドライバー状の消去専用磁気ヘッド１を用いる事で従来の書込・消去兼用磁気ヘッド書込は１条又は１トラックの細さなドットの様であった、これを従来の針先の先端部の消去ヘッドでは１条毎に又は１トラック毎に消去しても磁場磁界性質上中心部が濃く、周辺部が淡い事から、精密に消去ヘッドを制御し消去する必要があったが、微妙なズレなど残留磁界が残り易くビットエラーの原因となった、そこで本発明では図１の幅広で鋭利なマイナスドライバー状の形をした消去専用磁気ヘッド１を用いる事で濃淡のでない、本当の初期の状態に成る様にした、そして又ＯＳソフトウエア等がコンピュータウイルス等の各種暴力ソフトウエア等で、ＯＳソフトウエアが動作しなくなった時等に消去できなくなる、即ちインストールできなくなる、そこで例えばパーソナルコンピュータのＭＰＵ部ＲＡＭ部キーボード等の部分と関係なくハードディスクを消去できる効果があり幅広く用いられる、そしてＭＰＵ部ＲＡＭ部等電子回路も電力を０にする事に依り、残留した記憶が無くなる、それにより初めて初期化即ちハードディスク記憶装置も含め全体の初期化が出来る。
【０００８】
以下、本発明の実施の形態図１〜図４に基づいて説明する。
【０００９】
図１ないし図２の本発明を実施するための最良の第一の形態において、図１の消去専用磁気ヘッド１及び消去信号伝達コイル２で、又図１の消去専用磁気ヘッド１の形が図１の正面図の幅広の部分約３ｍｍで鋭利な部分約０．２ｍｍのマイナスドライバー状の形でハードディスク記憶面４を幅広の部分約３ｍｍで鋭利の部分約０．２ｍｍの消去専用の消去専用磁気ヘッド１にて幅広の部分約３ｍｍにて円周状に記憶された記憶条根又はトラックに対して直角９０°にして複条根又は複数トラックを記憶された磁場面を幅広の部分にて一括して消去する、この為に消去専用磁気ヘッド１を糸６でガードレール５をプーリ７ａ，７ｂを通しプーリ７ａをプーリ７ｂとプーリ９ａ,９ｂの小型のプーリ７ａ，７ｂ，７ｃで２段階で１段階当たり約１０分の１づつ速度を落として、ゴムローラ又はギヤにて１１ａ，１１ｂで１／４速度を落として、消去に必要な速度とする、又図１の消去専用磁気ヘッド１に対して消去信号を供給する消去信号電力は消去信号電力供給用ケーブル１９にて消去専用磁気ヘッド１のコイル２に対して消去信号電力を供給する、これにより幅広の鋭利なマイナスドライバー状の消去信号専用磁気ヘッド１にてハードディスク３の磁気記憶面４の円周状に記録されたトラック磁気記憶面４の記憶された方向に対して直角９０°にして幅広の部分にて磁気記録条根又は１トラック、複数トラック毎を一括して消去する、この為、消去専用磁気ヘッド１を糸６で動かし、プーリ７ａ．７ｂで緩やかに動かし、消去専用磁気ヘッド１が片方又は双方向の端に来た時の検知する為の検知用スイッチ８ａ，８ｂで消去専用磁気ヘッド１が片方の端に来た時に検知してモータ１２を逆転させ往復させ、消去専用磁気ヘッド１をプーリ７ｂ側に収納する。
【００１０】
図３は図２のＡ断面図であり、ハードディスク記憶装置３の内部切断図であり、消去専用磁気ヘッド１とそれを動かす糸６とプーリ７ａ，７ｂとで消去専用磁気ヘッド１をハードディスク記憶装置３の磁気記憶面４を図４の書込、読取磁気ヘッド１３で針状の従来の磁気ヘッドで書込，読み取るが、本発明に於いては幅広で鋭利な消去専用磁気ヘッド１にて、従来の針状の書込，読取り又は消去を兼ねていた、本発明では消去専用磁気ヘッド１を用いる事で、従来のパーソナルコンピュータ等でインストールする為のソフトウエアプログラムを必要とせず、単純に消去磁気ヘッド１を動かす為のモータ１２と速度を遅くする為のプーリ７ａ，７ｂ，７ｃ，７ｄと９ａ，９ｂとゴム糸１０ａ等で消去専用磁気ヘッド１を作動させる為のプーリ７ａ，７ｂ，９ａ，９ｂとギヤ又はゴムローラ１１ａ，１１ｂ等で速度を落として遅くし消去専用磁気ヘッド１を幅広の部分で磁気記憶面４の磁気記憶条根に対して直角９０°方向で消去する事で磁気記憶条根を複数条、複数トラック、一括して消去できる、又プーリ９ａ，９ｂ，７ａ，７ｂ等はゴムローラ又はギヤでも良い、そして糸６で又は消去専用磁気ヘッド１をアーム等で動作させても同様な効果が得られる、そして糸６で消去専用磁気ヘッド１で動作させる為、両方に消去専用磁気ヘッド１の位置を検知する為のスイッチ８ａ，８ｂを設けた、又磁気記憶面を回転する為のモータ２４とした。
【００１１】
図３と図４を用いてハードディスク強制消去装置の全体を説明する、ハードディスク３の記憶磁気面４の強制消去即ち初期化する為に幅広で鋭利なマイナスドライバー状の消去専用磁気ヘッド１を制御する、スイッチ制御部１７とモータ部及び電源とＡＣ電源部１５を制御する電子スイッチ１８ａでＡＣ電源を切り又同時にバックアップバッテリー部１６の電源を切る電子スイッチ１８ｂとＭＰＵ部及びＲＡＭ部とその他電子回路１４で構成される電子回路内の残留電力をショートする為の電子スイッチ１８ｃとで残留電力を電子スイッチ１８ｃで急にショートすると電子回路が破壊されるのを防ぐ為のシャント抵抗２５で速度を遅くして残留電力をショートさせ、ＭＰＵ部及びＲＡＭ部等に残ったソフトウエアプログラム又暴力ソフトウエアプログラム等を動作させない、そしてＲＡＭ部の暴力ソフトウエアプログラムを消去してしまう。これによりハードディスク記憶装置３は他の電子回路から独立し、書込，読取磁気ヘッド１３を動作しなくなる、そして幅広で鋭利な消去専用磁気ヘッド１を制御するスイッチ制御部モータ制御部１７で消去専用磁気ヘッド１と消去信号電力をスイッチ制御部モータ制御部１７から発生させ、ハードディスク記憶装置３と磁気記憶面４を動作させ、且つ消去信号電力を供給するスイッチ制御部モータ制御部１７より供給する、ここで点灯させる作業中作業中灯２１と作業終了灯２２であり、これにより初期化の作業中と作業終了が解る。
【産業上の利用可能性】
【００１２】
ハードディスク記憶装置として使用することができる。
【図面の簡単な説明】
【００１３】
【図１】本発明の実施形態を示す幅広で鋭利な消去専用磁気ヘッドの横面図と正面図
【図２】同発明のハードディスク記憶装置に消去専用磁気ヘッドを取付けた上断面図
【図３】同発明のハードディスク記憶装置の図２Ａ矢印視点から見た横断面図
【図４】同発明のハードディスク記憶装置の電子回路ブロック図
【符号の説明】
【００１４】
１  消去専用磁気ヘッド
２  消去専用磁気ヘッド電力供給コイル
３  ハードディスク記憶装置
４  ハードディスク記憶磁気記憶面
５  消去専用磁気ヘッドガードレール
６  消去専用磁気ヘッド作動用糸
７ａ  プーリ
７ｂ  プーリ
８ａ  消去専用磁気ヘッド検知スイッチ
８ｂ  消去用磁気ヘッド検知スイッチ
９ａ  低速用１／１０プーリ
９ｂ  低速用１／１０プーリ
１０ａ  低速にする為のプーリ用ゴム糸
１０ｂ  低速にする為のプーリ用ゴム糸
１１ａ  低速１／４にする為のゴムローラ又はギヤ
１１ｂ  低速１／４にする為のゴムローラ又はギヤ
１２    低速又は定速のモータ
１３    従来の書込み、読取り用磁気ヘッド
１４    ＭＰＵ部及びＲＡＭ部とその他の電子回路部
１５    ＡＣ電源
１６    バックアップバッテリー
１７    スイッチ制御消去専用磁気ヘッド駆動用モータ電源
１８ａ  ＡＣ電源部切断用電子スイッチ
１８ｂ  バックアップバッテリー切断用電子スイッチ
１８ｃ  符号１４の電子回路内残留電力用シャント抵抗用電子スイッチ
１９    消去専用磁気ヘッド消去信号供給用ケーブル
２０    スイッチ制御部モータ電源部１７のスイッチ
２１    消去作業開始灯
２２    消去作業終了灯
２３    シャント抵抗（接地抵抗）
２４    モータ
【図１】
2008269679.tif 000003
【図２】
2008269679.tif 000004
【図３】
2008269679.tif 000005
【図４】
2008269679.tif 000006